(57)【要約】【課題】使用者の使用方法に合わせて、用紙の除去作業に起因する使用者の手間の増大の防止を図ることができる用紙後処理装置及びこの用紙後処理装置を備えた画像形成システムを提供する。【解決手段】画像形成装置から送られてきた用紙を積載する用紙トレイと、用紙トレイ上の用紙の有無を検知する検知手段とを備え、画像形成装置から送られてきた用紙をそのまま、または、所定の後処理を施して、用紙トレイに排出する用紙後処理装置において、電源ＯＦＦから電源ＯＮになったときに、検知手段が用紙トレイに用紙が存在することを検知した場合、用紙トレイに無効紙が存在すると画像形成装置に通知する設定と、用紙トレイに無効紙が存在することを画像形成装置に通知しない設定と、に切り替える切り替え手段を備える。【選択図】図１
2014101158.tif 000002
【特許請求の範囲】
【請求項１】
画像形成装置から送られてきた用紙を積載する用紙トレイと、
該用紙トレイ上の用紙の有無を検知する検知手段とを備え、
画像形成装置から送られてきた用紙をそのまま、または、所定の後処理を施して、該用紙トレイに排出する用紙後処理装置において、
電源ＯＦＦから電源ＯＮになったときに、上記検知手段が上記用紙トレイに用紙が存在することを検知した場合、該用紙トレイに無効紙が存在すると画像形成装置に通知する設定と、該用紙トレイに無効紙が存在することを画像形成装置に通知しない設定と、に切り替える切り替え手段を備えることを特徴とする用紙後処理装置。
【請求項２】
請求項１の用紙後処理装置において、
上記切り替え手段の設定を上記画像形成装置によって行うことを特徴とする用紙後処理装置。
【請求項３】
請求項１の用紙後処理装置において、
上記切り替え手段の設定を行う切り替え部を備えることを特徴とする用紙後処理装置。
【請求項４】
記録紙に画像を形成する画像形成装置と、
該画像形成装置により画像が形成された記録紙に所定の処理を施す記録紙処理手段とを備えた画像形成システムにおいて、
上記記録紙処理手段として請求項１乃至３に記載の何れかの用紙後処理装置を用いることを特徴とする画像形成装置。
【発明の詳細な説明】
【技術分野】
【０００１】
本発明は、画像形成部から排出される用紙に後処理を行う用紙後処理装置、及び、この用紙後処理装置を備える画像形成装置に関するものである。
【背景技術】
【０００２】
従来より、画像形成装置の画像形成部で画像が形成されたシート状の記録媒体である用紙に対して、綴じ処理、穿孔処理及び整合処理等の所定の後処理を施す用紙後処理装置が知られている。
この種の用紙後処理装置は、電源ＯＦＦの状態で画像形成装置からの電源ＯＮ信号を受信すると電源ＯＮとなり、画像形成装置からの用紙を受け入れる準備を行うイニシャル動作を実行する。用紙後処理装置でイニシャル動作が完了すると、用紙を受け入れる準備が完了したことを伝達する信号を画像形成装置に送信する。この信号を受信した画像形成装置は、用紙を排紙することを伝達する排紙信号を用紙後処理装置に送信し、画像形成動作を開始して画像形成した用紙を用紙後処理装置に向けて排出する。用紙後処理装置は、画像形成装置から送られてきた用紙をそのまま、または、所定の後処理を施して、用紙トレイに排出する。
【０００３】
従来より、用紙後処理装置としては、電源ＯＮの状態で、予め設定された所定時間、排紙信号を受信しない状態が継続すると電源ＯＦＦの状態となるものが知られている（例えば、特許文献１）。ここでの電源ＯＦＦの状態とは、用紙後処理装置の全て電力供給を停止する状態ではなく、ＣＰＵ等の制御部へは電力供給しつつ、各種モータや各種センサへの電力供給を停止して消費電力を少なくする状態であり、所謂、省エネルギーモードの状態である。
【０００４】
用紙後処理装置が、電源ＯＦＦから電源ＯＮの状態になったときのイニシャル動作で、用紙トレイ上の用紙の有無を検知する検知センサが用紙トレイ上に用紙が存在することを検知することがある。このような場合、電源ＯＦＦの状態の間に、使用者が用紙トレイ上の用紙を触っている可能性があり、用紙トレイ上の用紙の状態が保証できない。このため、従来の用紙後処理装置では、イニシャル動作で用紙トレイ上に用紙が存在することを検知すると、用紙の状態を保証できない無効紙が用紙トレイ上に存在するとして、無効紙有りの信号を画像形成装置に送信する。無効紙有りの信号を受信した画像形成装置は、画像形成動作を開始しないため、用紙後処理装置への用紙の排出が行われず、画像を形成した用紙が用紙トレイ上の無効紙に混ざることを防止することができる。
【発明の概要】
【発明が解決しようとする課題】
【０００５】
しかしながら、使用者が画像情報を作成しながら画像形成装置での出力を順次行う場合など、用紙トレイにまとめて出力されることを望むにも関わらず、ジョブの間の時間が空いて、用紙後処理装置が電源ＯＦＦの状態となることがある。用紙後処理装置が電源ＯＦＦになった後に、使用者が次の画像情報に基づいた出力を行う命令を画像形成装置に入力すると、用紙後処理装置では電源がＯＮになり、それまでに出力した用紙トレイ上の用紙を無効紙として検知する。このような状態となると、使用者が、用紙トレイ上の用紙を除去しない限り画像形成が再開されないため、用紙後処理装置が電源ＯＦＦとなるたびに、使用者は用紙を除去する作業を強いられ、使用者の手間が増大する。
【０００６】
本発明は以上の問題点に鑑みなされたものであり、その目的は、使用者の使用方法に合わせて、用紙の除去作業に起因する使用者の手間の増大の防止を図ることができる用紙後処理装置及びこの用紙後処理装置を備えた画像形成システムを提供することである。
【課題を解決するための手段】
【０００７】
上記目的を達成するために、請求項１の発明は、画像形成装置から送られてきた用紙を積載する用紙トレイと、該用紙トレイ上の用紙の有無を検知する検知手段とを備え、画像形成装置から送られてきた用紙をそのまま、または、所定の後処理を施して、該用紙トレイに排出する用紙後処理装置において、電源ＯＦＦから電源ＯＮになったときに、上記検知手段が上記用紙トレイに用紙が存在することを検知した場合、該用紙トレイに無効紙が存在すると画像形成装置に通知する設定と、該用紙トレイに無効紙が存在することを画像形成装置に通知しない設定と、に切り替える切り替え手段を備えることを特徴とするものである。
【０００８】
本発明においては、切り替え手段が設定を切り替えることで、電源ＯＦＦから電源ＯＮになったときに、検知手段が用紙トレイに用紙が存在することを検知した場合、用紙トレイに無効紙が存在することを画像形成装置に通知しない設定とすることができる。このような設定とすることで、ジョブの間が空くことによって用紙後処理装置が電源ＯＦＦとなった後、次の画像形成の際に用紙後処理装置の電源ＯＮになり、検知手段が用紙トレイに用紙が存在することを検知しても画像形成装置には用紙トレイに無効紙が存在することを通知されない。このため画像形成装置は、用紙トレイに無効紙が存在することが通知された場合と異なり、用紙トレイから用紙が除去されなくても画像形成を再開する。このため、使用者が用紙を除去する作業を行わなくても、画像形成を継続できる。これにより、用紙の除去作業に起因する使用者の手間の増大の防止を図ることができる。
また、切り替え手段が設定を切り替えることで、電源ＯＦＦから電源ＯＮになったときに、検知手段が用紙トレイに用紙が存在することを検知した場合、用紙トレイに無効紙が存在することを画像形成装置に通知する設定とすることもできる。このような設定とすることで、従来と同様に、用紙の状態を保証できない無効紙が次に出力される用紙に混入することを抑制できる。
【発明の効果】
【０００９】
本発明によれば、切り替え手段が設定を切り替えることで、使用者の使用方法に合わせて、用紙の除去作業に起因する使用者の手間の増大の防止を図ることができるという優れた効果がある。
【図面の簡単な説明】
【００１０】
【図１】用紙後処理装置が電源ＯＦＦの状態から電源ＯＮになったときに実行されるイニシャル動作の概略を示すフローチャート。
【図２】本実施形態に係る画像形成システムの概略構成図。
【図３】用紙後処理装置の概略構成図。
【図４】第二用紙積載部の上部の拡大説明図、（ａ）は、積載トレイに用紙の積載がない場合の説明図、（ｂ）は、用紙の積載がある場合の説明図。
【図５】実施例１のイニシャル動作の概略を示すフローチャート。
【図６】実施例２の用紙後処理装置の斜視図。
【図７】実施例２のイニシャル動作の概略を示すフローチャート。
【発明を実施するための形態】
【００１１】
以下、本発明を適用した用紙後処理装置の一実施形態について説明する。
図２は、本実施形態に係る用紙後処理装置２００を備えた画像形成システム５００の概略構成図である。
図２に示す画像形成システム５００は、画像形成装置１００と用紙後処理装置２００とを備え、画像形成装置１００はネットワーク４００を介してパーソナルコンピューター３００に接続されている。
用紙後処理装置２００は、画像形成装置１００で画像形成処理が行われた用紙に対して、画像形成装置１００からの指示に従い、綴じ処理、穿孔処理及び整合処理等の後処理を施す装置である。
【００１２】
パーソナルコンピューター３００は、データの蓄積、処理を行い、ネットワークを介して、画像形成装置１００にデータの出力を自動で行う。また、画像形成装置１００とは電気的にも接続されている。用紙後処理装置２００は不図示のＣＰＵ（Ｃｅｎｔｒａｌ  Ｐｒｏｃｅｓｓｉｎｇ  Ｕｎｉｔ）を有し、画像形成装置１００との通信や、用紙後処理装置２００自身の制御を行なっている。
【００１３】
図３は、用紙後処理装置２００の概略構成図を示したものである。
図３は、用紙Ｐの受入れ状態の説明図である。
画像形成装置１００から用紙後処理装置２００に搬送された用紙Ｐは、第一搬送コロ１、第二搬送コロ２、第三搬送コロ３及び第四搬送コロ４により搬送され、二つの用紙積載部（２０１または２０２）の何れかへ排紙され、積載される。二つの用紙積載部としては、第一用紙積載部２０１と第一用紙積載部２０１とがあり、搬送路中にある分岐爪５の動作により、用紙Ｐの排出先を切り替える。分岐爪５によって図３中の矢印Ａ方向に案内された用紙Ｐは、用紙後処理装置２００の上面に形成された第一用紙積載部２０１へと排出される。また、分岐爪５によって図３中の矢印Ｂ方向に案内された用紙Ｐは、用紙後処理装置２００内に配置された大量積載部である第二用紙積載部２０２へと排出される。
【００１４】
第二用紙積載部２０２は、積載トレイ６、昇降枠７及び台車部２０３を有している。積載トレイ６は、排紙された用紙Ｐを積載するトレイであり、昇降枠７は、積載トレイ６を載せ、不図示のトレイ昇降手段により上下動するものであって、この上下動によって積載トレイ６を上下動させるものである。台車部２０３は、ジョブ終了等により昇降枠７が下限に到達したときに、積載トレイ６をうけ、昇降枠７から積載トレイ６を分離させ、用紙Ｐが積載された状態の積載トレイ６ごと用紙後処理装置２００から取出すための台車である。
【００１５】
また、排紙された用紙Ｐを良好に積載するため、積載トレイ６の高さ（用紙受入高さ）を略一定にする必要がある。このため、第二用紙積載部２０２は、トレイ高さ検知手段としての紙面検知フィラー８及び紙面検知センサ９を備え、積載トレイ６における用紙Ｐの受入れ高さの検出を行っている。
また、第二用紙積載部２０２は、積載トレイ６の用紙受入れ位置における、積載トレイ６上の積載紙（用紙Ｐ）の有無を検知するため、用紙有無検出手段として、用紙有無検知フィラー１０及び用紙有無検知センサ１１を設けている。用紙有無検知フィラー１０は、第二用紙積載部２０２における非可動部である天板から回動可能に吊り下げており、その回動を用紙有無検知センサ１１で検出する。このため、可動する積載トレイ６上に電気的接続をすること無く、積載トレイ６上の用紙Ｐの有無を検出することができる。
【００１６】
図４は、用紙有無検知手段の概略を説明する、第二用紙積載部２０２の上部の拡大説明図である。図４（ａ）は、積載トレイ６に用紙Ｐの積載がない場合の説明図であり、図４（ｂ）は、用紙Ｐの積載がある場合の説明図である。
用紙後処理装置２００は、電源ＯＦＦの状態から電源がＯＮにされると、第二用紙積載部２０２におけるイニシャル動作を行い、積載トレイ６に用紙Ｐが積載されているか否かの検出を行う。
【００１７】
第二用紙積載部２０２のイニシャル動作は、図示しないトレイ昇降手段により昇降枠７を上昇させる事により、積載トレイ６を上昇させる。積載トレイ６が、用紙Ｐの受入れ高さに到達すると、紙面検知フィラー８が、積載トレイ６により押上げられ、その回動を紙面検知センサ９が検出し、トレイ昇降手段を停止させイニシャル動作が完了する。このとき、第二用紙積載部２０２における積載トレイ６上の積載された用紙Ｐの有無の検出は、非可動部である大量積載部天板２２０に取り付けられた用紙有無検知フィラー１０及び用紙有無検知センサ１１で検出する。
【００１８】
用紙Ｐが積載トレイ６上にない場合、図４（ａ）に示すように、用紙有無検知フィラー１０は、積載トレイ６上の凹部であるトレイ凹部６１に落ち込み、用紙有無検知センサ１１は非検知状態となる。
一方、用紙Ｐが積載トレイ６上に積載されている場合は、図４（ｂ）に示すように、用紙有無検知フィラー１０は、用紙Ｐの束の上面に突き当たり、トレイ凹部６１に落ち込まない。このため、用紙有無検知センサ１１は検知状態となり、用紙積載の有無の判断が可能となる。
【００１９】
用紙後処理装置２００は、電源ＯＦＦの状態で画像形成装置からの電源ＯＮ信号を受信すると電源ＯＮとなり、画像形成装置１００からの用紙Ｐを受け入れる準備を行うイニシャル動作を実行する。用紙後処理装置２００でイニシャル動作が完了すると、用紙Ｐを受け入れる準備が完了したことを伝達する信号を画像形成装置１００に送信する。この信号を受信した画像形成装置１００は、用紙Ｐを排紙することを伝達する排紙信号を用紙後処理装置２００に送信し、画像形成動作を開始して画像形成した用紙Ｐを用紙後処理装置２００に向けて排出する。用紙後処理装置２００は、画像形成装置１００から送られてきた用紙Ｐをそのまま、または、所定の後処理を施して、積載トレイ６に排出する。
【００２０】
用紙後処理装置２００では、電源ＯＮの状態で、予め設定された所定時間、排紙信号を受信しない状態が継続すると電源ＯＦＦの状態となる。ここでの電源ＯＦＦの状態とは、用紙後処理装置２００の全て電力供給を停止する状態ではなく、ＣＰＵ等の制御部へは電力供給しつつ、各種モータや各種センサへの電力供給を停止して消費電力を少なくする、所謂、省エネルギーモードの状態である。
【００２１】
用紙後処理装置２００が、電源ＯＦＦから電源ＯＮの状態になったときのイニシャル動作で、用紙有無検知センサ１１が積載トレイ６上に用紙Ｐが存在することを検知することがある。このような場合、電源ＯＦＦの状態の間に、使用者が積載トレイ６上の用紙Ｐを触っている可能性があり、積載トレイ６上の用紙Ｐの状態が保証できない。
このため、従来の用紙後処理装置では、イニシャル動作で用紙トレイ上に用紙が存在することを検知すると、用紙の状態を保証できない無効紙が用紙トレイ上に存在するとして、無効紙有りの信号を画像形成装置に送信していた。そして、無効紙有りの信号を受信した画像形成装置が、画像形成動作を停止して、用紙後処理装置への用紙の排出を行わないことで、画像を形成した用紙が用紙トレイ上の無効紙に混ざることを防止することができる。
【００２２】
使用者が画像情報を作成しながら画像形成装置１００で出力を順次行う場合など、積載トレイ６にまとめて出力されることを望むにも関わらず、ジョブの間の時間が空いて、用紙後処理装置２００が電源ＯＦＦの状態となることが起こり得る。用紙後処理装置２００が電源ＯＦＦになった後に、使用者が次の画像情報に基づいた出力を行う命令を画像形成装置１００に入力すると、用紙後処理装置２００では電源がＯＮになる。このとき、積載トレイ６上に用紙Ｐが存在するときには、無効紙として取り扱う設定としていると、それまでに出力した積載トレイ６上の用紙Ｐを無効紙として検知する。このような状態となると、使用者が、積載トレイ６上の用紙を除去しない限り画像形成が再開されないため、用紙後処理装置２００が電源ＯＦＦとなるたびに、使用者は用紙Ｐを除去する作業を強いられ、使用者の手間が増大する。特に、画像形成システム５００から離れた位置にあるパーソナルコンピューター３００等からネットワーク４００を介して自動運転で出力させる場合などは、使用者が画像形成システム５００の所まで移動する必要があり、使用者の負担が大きくなる。
【００２３】
特許文献１には、電源ＯＮの状態から電源ＯＦＦの状態に移行する上記所定時間の設定を変更可能な構成が記載されている。上述したジョブの間の時間が空いて用紙後処理装置が電源ＯＦＦとなることを防止する方法として、特許文献１の所定時間の設定を変更可能な構成であれば、電源ＯＦＦになる所定の時間を長くするように設定を変更することが考えられる。この場合、省エネルギーモード（電源ＯＦＦ）に移行する期間を長くすることで、連続して出力したいときに、出力途中で電源ＯＦＦになって、復帰時に無効紙を通知する問題は解決できる。しかし、ジョブの間の時間が長いにも関わらず省エネルギーモードに移行しないことは不要な電力の消費に繋がる問題が生じる。
【００２４】
次に、本実施形態の用紙後処理装置２００の特徴部について説明する。
図１は、本実施形態の用紙後処理装置２００が電源ＯＦＦの状態から電源ＯＮになったときに不図示のＣＰＵが実行するイニシャル動作の概略を示すフローチャートである。
【００２５】
本実施形態では、イニシャル動作で積載トレイ６に用紙Ｐがあることを検出したときに、積載トレイ６上の用紙Ｐを有効紙と画像形成装置１００に通知するか、無効紙として通知するかを予め選択して設定することが可能な構成となっている。すなわち、積載トレイ６上の用紙Ｐを有効紙としてそのまま、次の用紙Ｐの排紙を再開するか、積載トレイ６上の用紙Ｐに無効紙があるとして排紙を停止するか、予め選択して設定することが可能となっている。
【００２６】
用紙後処理装置２００の電源ＯＮにより、イニシャル動作を開始する（Ｓ１１）。このイニシャル動作で、積載トレイ６上に用紙Ｐを検出したとき（Ｓ１２で「Ｙｅｓ」）に、無効紙であると通知する設定の場合（Ｓ１３で「Ｙｅｓ」）は、画像形成装置１００に無効紙有りを通知する（Ｓ１４）。無効紙有りの通知を受けた画像形成装置１００は、画像形成動作を開始せず、積載トレイ６上の用紙Ｐが取り除かれ、積載トレイ６上に用紙Ｐが無しの状態となり（Ｓ１２で「Ｎｏ」）、無効紙なしの通知を受ける（Ｓ１５）までは画像形成動作を停止する。
【００２７】
一方、積載トレイ６上に用紙Ｐを検出したときに、有効紙であると通知する（無効紙があることを通紙しない）設定の場合（Ｓ１３で「Ｎｏ」）は、積載トレイ６上の用紙Ｐの有無に関わらず、無効紙なしを通知する（Ｓ１５）。このため、イニシャル動作で積載トレイ６上に用紙Ｐを検出して（Ｓ１２で「Ｙｅｓ」）も、無効紙なしの通知を受ける（Ｓ１５）画像形成装置１００は画像形成動作を開始し、用紙後処理装置２００で積載トレイ６への排出を可能とする。
【００２８】
本実施形態の用紙後処理装置２００では、電源ＯＮ時に積載トレイ６に積載されている用紙Ｐを無効紙、または、有効紙として取り扱うかをＣＰＵが切り替えることができる。
このため、有効紙として取り扱う設定とすることで、自動運転などを行う際にジョブの間の時間が空いても使用者が介入する（積載トレイ６上の用紙Ｐを取り除く）ことなく継続してジョブを行うことができる。
また、無効紙として取り扱う設定とすることで、電源ＯＦＦの間に人為的におかれ、用紙後処理装置２００の制御の範疇にない用紙Ｐと新たな画像形成装置１００から搬送されてくる用紙Ｐとが混ざることを防止できる。
また、電源ＯＦＦとなる所定の時間を長く設定する必要がないため、不要な電力消費を抑制できる。
【００２９】
このような用紙後処理装置２００を備えた画像形成システム５００は、時間が空いても使用者が介入することなく継続してジョブを行うことができる使用形態と、制御の範疇にない記録紙が他の記録紙に混入することを防止できる使用形態とを選択できる。
なお、図１に示すフローチャートでは、積載トレイ６に用紙Ｐがある（Ｓ１２で「Ｙｅｓ」）ときに、無効紙通知をする設定となっているか否かを確認する（Ｓ１３）制御の流れとなっているが、これに限るものではない。無効紙通知をする設定となっているか否かを確認した後に、無効紙をする設定となっている場合に、積載トレイ６に用紙Ｐがあるか否かを確認する制御の流れとしてもよい。この場合、無効紙通知をする設定となっているか否かを確認したときに、無効紙通知をしない設定となっている場合は、積載トレイ６に用紙Ｐがあるか否かを確認することなく、無効紙なしを通知（Ｓ１５）することができる。
【００３０】
〔実施例１〕
次に、積載トレイ６上の用紙Ｐを有効紙と画像形成装置１００に通知するか、無効紙として通知するかを予め選択する設定を画像形成装置１００で行う本実施形態の一つ目の実施例（以下、「実施例１」と呼ぶ）について説明する。
図５は、実施例１の用紙後処理装置２００が電源ＯＦＦの状態から電源ＯＮになったときに不図示のＣＰＵが実行するイニシャル動作の概略を示すフローチャートである。
【００３１】
実施例１の用紙後処理装置２００と接続された画像形成装置１００の記憶部には、イニシャル動作で、積載トレイ６上に用紙Ｐを検出したときに、この用紙Ｐを無効紙として取り扱うか、有効紙として取り扱うかについての設定が入力されている。画像形成装置１００の記憶部への設定の入力方法としては、画像形成装置１００が備える不図示の操作部で使用者が設定を入力する構成とすることができる。また、パーソナルコンピューター３００等の外部機器からネットワーク４００を介して画像形成装置１００の記憶部に設定を入力する構成としてもよい。
【００３２】
実施例１の用紙後処理装置２００は、電源ＯＮした後、イニシャル動作を開始する前に、画像形成装置１００と通信して無効紙通知設定を受信する（Ｓ２１）。その後、イニシャル動作を開始する（Ｓ２１）。このイニシャル動作で、積載トレイ６上に用紙Ｐを検出したとき（Ｓ２３で「Ｙｅｓ」）に、無効紙であると通知する設定の場合（Ｓ２４で「Ｙｅｓ」）は、画像形成装置１００に無効紙有りを通知する（Ｓ２５）。無効紙有りの通知を受けた画像形成装置１００は、画像形成動作を開始せず、積載トレイ６上の用紙Ｐが取り除かれ、積載トレイ６上に用紙Ｐが無しの状態となり（Ｓ２３で「Ｎｏ」）、無効紙なしの通知を受ける（Ｓ２６）までは画像形成動作を停止する。
【００３３】
一方、用紙後処理装置２００が、画像形成装置１００と通信して受信した無効紙通知設定が、積載トレイ６上に用紙Ｐを検出したときに、無効紙であると通知する設定の場合は次のような制御がなされる。
すなわち、積載トレイ６上に用紙Ｐを検出したとき（Ｓ２３で「Ｙｅｓ」）に、有効紙であると通知する（Ｓ２４で「Ｎｏ」）ため、積載トレイ６上の用紙Ｐの有無に関わらず、画像形成装置１００に無効紙なしを通知する（Ｓ２６）。このため、イニシャル動作で積載トレイ６上に用紙Ｐを検出して（Ｓ２３で「Ｙｅｓ」）も、無効紙なしの通知（Ｓ２６）を受ける画像形成装置１００は画像形成動作を開始し、用紙後処理装置２００で積載トレイ６への排出を可能とする。
【００３４】
実施例１の用紙後処理装置２００では、電源ＯＮのイニシャル動作で積載トレイ６上に用紙Ｐを検出したときに、画像形成装置１００に無効紙として通知するのか有効紙として通知するのかを画像形成装置１００にて設定を行う。画像形成装置１００は用紙後処理装置２００がイニシャル動作を開始する前に通信して設定を通知し、用紙後処理装置２００は通知された設定に従い、無効紙の有無を画像形成装置１００に通知する。
【００３５】
実施例１のように、電源ＯＮ時に積載トレイ６上に用紙Ｐがある場合、無効紙または有効紙の何れとして取り扱うかのＣＰＵでの設定を画像形成装置１００にて設定することで、無効紙または有効紙の切り替えを使用者自身が行うことができる構成を実現できる。これにより、使用者自身が自分の使い方にあった設定ができる。
【００３６】
〔実施例２〕
次に、積載トレイ６上の用紙Ｐを有効紙と画像形成装置１００に通知するか、無効紙として通知するかを予め選択する設定を用紙後処理装置で行う本実施形態の二つ目の実施例（以下、「実施例２」と呼ぶ）について説明する。
図６は、実施例２の用紙後処理装置２００の斜視図であり、図７は、実施例２の用紙後処理装置２００が電源ＯＦＦの状態から電源ＯＮになったときにＣＰＵ２５０が実行するイニシャル動作の概略を示すフローチャートである。
図６に示すように、実施例２の用紙後処理装置２００はスイッチＳＷ１を有しており、スイッチＳＷ１は用紙後処理装置２００の制御を行うＣＰＵ２５０と電気的に接続されている。このスイッチＳＷ１を使用者が操作することによって、イニシャル動作で、積載トレイ６上に用紙Ｐを検出したときに、この用紙Ｐを無効紙として取り扱うか、有効紙として取り扱うかについての設定を行うことができる。スイッチＳＷ１が、ＯＮ／ＯＦＦの切り替えを行う構成の場合、例えば、スイッチＳＷ１がＯＮの場合に、積載トレイ６上に用紙Ｐを検出したときに、この用紙Ｐを有効紙として取り扱う。
【００３７】
実施例２の用紙後処理装置２００は、電源ＯＮした後、イニシャル動作を開始する前に、ＣＰＵ２５０がスイッチＳＷ１の状態を読み取り（Ｓ３１）。その後、イニシャル動作を開始する（Ｓ３１）。このイニシャル動作で、積載トレイ６上に用紙Ｐを検出したとき（Ｓ３３で「Ｙｅｓ」）に、無効紙であると通知する設定の場合（Ｓ３４で「Ｙｅｓ」）は、画像形成装置１００に無効紙有りを通知する（Ｓ３５）。無効紙有りの通知を受けた画像形成装置１００は、画像形成動作を開始せず、積載トレイ６上の用紙Ｐが取り除かれ、積載トレイ６上に用紙Ｐが無しの状態となり（Ｓ３３で「Ｎｏ」）、無効紙なしの通知を受ける（Ｓ３６）までは画像形成動作を停止する。
【００３８】
一方、ＣＰＵ２５０がスイッチＳＷ１の状態を読み取った設定が、積載トレイ６上に用紙Ｐを検出したときに、無効紙であると通知する設定の場合は次のような制御がなされる。
すなわち、積載トレイ６上に用紙Ｐを検出したとき（Ｓ３３で「Ｙｅｓ」）に、有効紙であると通知する（Ｓ３４で「Ｎｏ」）ため、積載トレイ６上の用紙Ｐの有無に関わらず、画像形成装置１００に無効紙なしを通知する（Ｓ３６）。このため、イニシャル動作で積載トレイ６上に用紙Ｐを検出して（Ｓ３３で「Ｙｅｓ」）も、無効紙なしの通知（Ｓ３６）を受ける画像形成装置１００は画像形成動作を開始し、用紙後処理装置２００で積載トレイ６への排出を可能とする。
【００３９】
実施例２の用紙後処理装置２００では、電源ＯＮのイニシャル動作で積載トレイ６上に用紙Ｐを検出したときに、画像形成装置１００に無効紙として通知するのか有効紙として通知するのかを用紙後処理装置２００にて設定を行う。用紙後処理装置２００のＣＰＵ２５０がイニシャル動作を開始する前にスイッチＳＷ１の状態を読み取り、用紙後処理装置２００は読み取った設定に従い、無効紙の有無を画像形成装置１００に通知する。
【００４０】
実施例２のように、電源ＯＮ時に積載トレイ６上に用紙Ｐがある場合、無効紙または有効紙の何れとして取り扱うかのＣＰＵ２５０の設定を用紙後処理装置２００にて設定することで、無効紙有効紙の切り替えを使用者自身が行うことができる構成を実現できる。これにより、使用者自身が自分の使い方にあった設定ができる。
【００４１】
以上に説明したものは一例であり、本発明は、次の態様毎に特有の効果を奏する。
（態様Ａ）
画像形成装置１００等の画像形成装置から送られてきた用紙Ｐ等の用紙を積載する積載トレイ６等の用紙トレイと、用紙トレイ上の用紙の有無を検知する用紙有無検知フィラー１０及び用紙有無検知センサ１１等の検知手段とを備え、画像形成装置から送られてきた用紙をそのまま、または、所定の後処理を施して、用紙トレイに排出する用紙後処理装置２００等の用紙後処理装置において、電源ＯＦＦから電源ＯＮになったときに、検知手段が用紙トレイに用紙が存在することを検知した場合、用紙トレイに無効紙が存在すると画像形成装置に通知する設定と、用紙トレイに無効紙が存在することを画像形成装置に通知しない設定と、に切り替えるＣＰＵ等の切り替え手段を備える。
これによれば、上記実施形態について説明したように、電源ＯＦＦから電源ＯＮになったときに、検知手段が用紙トレイに用紙が存在することを検知した場合、用紙トレイに無効紙が存在することを画像形成装置に通知しない設定とすることができる。このような設定とすることで、ジョブの間が空くことによって用紙後処理装置が電源ＯＦＦとなった後、次の画像形成の際に用紙後処理装置の電源ＯＮになり、検知手段が用紙トレイに用紙が存在することを検知しても画像形成装置には用紙トレイに無効紙が存在することを通知されない。このため画像形成装置は、用紙トレイに無効紙が存在することが通知された場合と異なり、用紙トレイから用紙が除去されなくても画像形成を再開する。これにより、ジョブの間が空くことによって用紙後処理装置が電源ＯＦＦとなっても、次の画像形成の際に、用紙を除去する作業を行うことなく、画像形成を再開できる。ジョブの間の時間が空いても人間が介入することなく継続してジョブを行うことができ、用紙の除去作業に起因する使用者の手間の増大の防止を図ることができる。
また、切り替え手段が設定を切り替えることで、電源ＯＦＦから電源ＯＮになったときに、検知手段が用紙トレイに用紙が存在することを検知した場合、用紙トレイに無効紙が存在することを画像形成装置に通知する設定とすることもできる。このような設定とすることで、従来と同様に、用紙の状態を保証できない無効紙が次に出力される用紙に混入することを抑制できる。
このように、切り替え手段が設定を切り替えることで、使用者の使用方法に合わせて、用紙の除去作業に起因する使用者の手間の増大の防止を図ることができる。
（態様Ｂ）
態様Ａにおいて、ＣＰＵ等の切り替え手段の設定の切り替えを画像形成装置１００等の画像形成装置によって行う。
これによれば、上記実施例１について説明したように、無効紙として通知するか、無効紙としては通知しないかのの切り替え手段の設定を、画像形成装置を用いて使用者が行えるので、使用者自身が自分の使い方にあった設定ができる。
（態様Ｃ）
態様Ａにおいて、ＣＰＵ２５０等の切り替え手段の設定の切り替えを行うスイッチＳＷ１等の切り替え部を備える。
これによれば、上記実施例２について説明したように、無効紙として通知するか、無効紙としては通知しないかの設定の切り替えを、用紙後処理装置２００が備える切り替え部を用いて使用者が行えるので、使用者自身が自分の使い方にあった設定ができる。
（態様Ｄ）
用紙Ｐ等の記録紙に画像を形成する画像形成装置１００等の画像形成装置と、画像形成装置により画像が形成された記録紙に所定の処理を施す記録紙処理手段とを備えた画像形成システム５００等の画像形成システムにおいて、記録紙処理手段として態様Ａ乃至Ｃの何れかの用紙後処理装置を用いる。
これによれば、上記実施形態について説明したように、時間が空いても使用者が介入することなく継続してジョブを行うことができる使用形態と、制御の範疇にない記録紙が他の記録紙に混入することを防止できる使用形態とを使用者が選択できる。
【符号の説明】
【００４２】
１  第一搬送コロ
２  第二搬送コロ
３  第三搬送コロ
４  第四搬送コロ
５  分岐爪
６  積載トレイ
７  昇降枠
８  紙面検知フィラー
９  紙面検知センサ
１０  用紙有無検知フィラー
１１  用紙有無検知センサ
６１  トレイ凹部
１００  画像形成装置
２００  用紙後処理装置
２０１  第一用紙積載部
２０２  第二用紙積載部
２０３  台車部
２２０  大量積載部天板
３００  パーソナルコンピューター
４００  ネットワーク
５００  画像形成システム
Ｐ  用紙
ＳＷ１  スイッチ
【先行技術文献】
【特許文献】
【００４３】
【特許文献１】特許第４９１６２６２号公報
【図１】
2014101158.tif 000003
【図２】
2014101158.tif 000004
【図３】
2014101158.tif 000005
【図４】
2014101158.tif 000006
【図５】
2014101158.tif 000007
【図６】
2014101158.tif 000008
【図７】
2014101158.tif 000009